(57)【特許請求の範囲】
【請求項１】
遊技機に用いられる電飾装置であって、
前記電飾装置は、
側断面箱形で横長状に形成されて、前記遊技機の前側上部の左右方向に沿って取着されるケースＣと、
前記ケースＣの前側板の左右方向に沿って形成された帯状照射面域を有するレンズ部材２と、
前記ケースＣ内の左右横方向に沿って適宜間隔で配列された複数個のＬＥＤ１と、
前記ケースＣ内で前記複数個のＬＥＤ１と離隔対向した位置に、左右横方向に沿って挿通されて両端支持された回動軸３と、
前記回動軸３を歯車５，８の連繋状態で往復回動制御し得る正逆転形態のモータ６と、
前記ケースＣ内で前記回動軸３の軸方向に沿って起立状態で連結されて、前記ＬＥＤ１に対向する姿勢で遠近方向に往復回動変位し得る可動反射板Ｒ1 と、
を備え、
前記可動反射板Ｒ1 は、前記回動軸３の軸方向に沿った横長帯板状に形成されて前記ＬＥＤ１に対向する片側面に略ノコギリ歯状の反射面が形成され、当該略ノコギリ歯状の反射面の先端縁から基端縁に亘り、前記ＬＥＤ１からの発光を反射して前記レンズ部材２に向けて照射し得る複数の反射面Ｆ1 〜Ｆ4 が、互いに反射角度の異なる向きで帯状平面単位に区分して形成され、
前記モータ６の正逆転により、前記ＬＥＤ１の位置を基準に見て略ノコギリ歯状の前記反射面Ｆ1 〜Ｆ4 が遠隔する起立状態と、該反射面Ｆ1 〜Ｆ4 が接近する傾倒状態とに亘る設定角度範囲内を往復回動自在に設定されており、
前記ＬＥＤ１から発光される光が、往復回動される前記可動反射板Ｒ1 の各反射面Ｆ1 〜Ｆ4 毎の反射角度で反射されて前記レンズ部材２の帯状照射面域範囲で各帯状照射単位毎の帯状光として照射され、この帯状光が、上下方向に変位され、かつ上下幅を大小変化して照射されるように構成したことを特徴とする遊技機の電飾装置。
【発明の詳細な説明】
【０００１】
【発明の属する技術分野】
本発明は、レンズ部材に照射された反射光の位置を変化させて電飾効果を高めた遊技機の電飾装置に関するものである。
【０００２】
【従来の技術】
遊技機における従来の電飾装置の大部分は、発光体の点灯、或いは点滅によるものであり、後者の点滅に関しても、多数の発光体の点滅に時間差を設ける等して、電飾効果を幾分高める工夫がなされたものはあるが、全体として、発光状態の変化が乏しいために、電飾効果は乏しいものであった。また、発光体に加わる電圧、或いは電流を変化させれば、その照度が変化させられて、電飾効果が高まるが、そのための専用の電気回路が必要となる。
【０００３】
【発明が解決しようとする課題】
本発明の課題は、遊技機の電飾装置において、レンズ部材に照射される反射光の位置を変化可能にして、その電飾効果を高めることである。
【０００４】
【課題を解決するための手段】
上記課題を解決するための請求項１の発明は、遊技機に用いられる電飾装置であって、前記電飾装置は、側断面箱形で横長状に形成されて、前記遊技機の前側上部の左右方向に沿って取着されるケースと、前記ケースの前側板の左右方向に沿って形成された帯状照射面域を有するレンズ部材と、前記ケース内の左右横方向に沿って適宜間隔で配列された複数個のＬＥＤと、前記ケース内で前記複数個のＬＥＤと離隔対向した位置に、左右横方向に沿って挿通されて両端支持された回動軸と、前記回動軸を歯車の連繋状態で往復回動制御し得る正逆転形態のモータと、前記ケース内で前記回動軸の軸方向に沿って起立状態で連結されて、前記ＬＥＤに対向する姿勢で遠近方向に往復回動変位し得る可動反射板とを備え、前記可動反射板は、前記回動軸の軸方向に沿った横長帯板状に形成されて前記ＬＥＤに対向する片側面に略ノコギリ歯状の反射面が形成され、当該略ノコギリ歯状の反射面の先端縁から基端縁に亘り、前記ＬＥＤからの発光を反射して前記レンズ部材に向けて照射し得る複数の反射面が、互いに反射角度の異なる向きで帯状平面単位に区分して形成され、前記モータの正逆転により、前記ＬＥＤの位置を基準に見て前記略ノコギリ歯状の前記反射面が遠隔する起立状態と、該略ノコギリ歯状反射面が接近する傾倒状態とに亘る設定角度範囲内を往復回動自在に設定されており、前記ＬＥＤから発光される光が、往復回動される前記可動反射板の各反射面毎の反射角度で反射されて前記レンズ部材の帯状照射面域範囲で各帯状照射単位毎の帯状光として照射され、この帯状光が、上下方向に変位され、かつ上下幅を大小変化して照射されるように構成したことを特徴としている。
【０００５】
【０００６】
【０００７】
請求項１の発明によれば、可動反射板の反射面の横断面が略ノコギリ歯状に形成されていて、複数の反射面が鈍角状に交差しているために、可動反射板が回動することにより、ＬＥＤに対する各反射面の上下方向に位置が大きく変化する。この結果、連続する二つの反射面の接続部において、反射角度が急激に変化するため、可動反射板の前面のレンズ部材に照射される反射光の方向がさまざまに異なり、可動反射板の回動によって、異なる反射面で反射された帯状光がレンズ部材に照射される。この結果、レンズ部材の帯状照射面域では、ＬＥＤからの反射光が上下方向に変位され、かつ上下幅を大小変化して照射されるために、帯状光の幅や数が大きく変化して、電飾効果が一層高められる。
【０００８】
【０００９】
また、レンズ部材内において複数個のＬＥＤが左右横方向に適宜間隔をおいて列状配置されて、前記レンズ部材は、前記列状に配置されたＬＥＤの配置領域全体を覆うように構成されて、その反射光は帯状であるために、可動反射板の可動状態のいずれかの時点においても、列状に配置されたＬＥＤから発せられる光の全てが反射されて、帯状の反射光となってレンズ部材に照射されるために、電飾効果が一層高まる。
【００１０】
【００１１】
【発明の実施の形態】
以下、実施例を挙げて、本発明を更に詳細に説明する。図１は、本発明に係る電飾装置Ｄ1 を備えたパチンコ機Ｐの正面図であり、図２は、電飾装置Ｄ1 の側面図であり、図３は、ケースＣを略した電飾装置Ｄ1 の正面図である。図１において、パチンコ機Ｐの前面枠３１は、基枠（図示せず）にヒンジ連結により開閉可能に取付けられ、該前面枠３１にガラス枠３２が嵌め込まれている。また、遊技盤３３には、レール３４が取付けられていて、遊技盤３３における前記レール３４で囲まれる部分が遊技領域３５となっている。
【００１２】
また、前記遊技領域３５の中央部には、液晶表示による図柄表示装置３６が配置され、該図柄表示装置３６の直下には、これの作動を開始させるための始動入賞口３７が配置され、更に、始動入賞口３７の直下には、前記図柄表示装置３６の複数の図柄が特定の組合わせとなって「大当り」となった場合に作動するアタッカー装置３８が配置されている。また、前記図柄表示装置３６の下端部の両側方、及びその上端隅部の斜上方には、それぞれ一般入賞口３９が配置され、前記図柄表示装置３６の下端部と、その側方に配置された前記一般入賞口３９との間には、それぞれ風車４１が配置されている。
【００１３】
また、前記前面枠３１におけるガラス枠３２よりも下方の部分には、上下の各球受け皿４２，４３が設けられ、下球受け皿４３の側方には、発射ハンドル４４が設けられている。一方、前記前面枠３１におけるガラス枠３２の上方の部分には、本発明に係る電飾装置Ｄ1 が水平に配置されている。
【００１４】
次に、前記電飾装置Ｄ1 について説明する。この電飾装置Ｄ1 は、図２及び図３に示されるように、前面側に向けて傾斜姿勢で配置されて、設定角度内において往復回動運動を行う可動反射板Ｒ1 と、該可動反射板Ｒ1 の各反射面Ｆ1 〜Ｆ4 に対して対向するように、遊技者から見て斜後方に傾斜した状態で横一列状に配置された多数のＬＥＤ１と、前面板が不透明なレンズ部材２で構成されて、前記可動反射板Ｒ1 及び前記多数のＬＥＤ１を収容したケース体Ｃとで構成される。前記可動反射板Ｒ1 は、横一列状に配置された多数の前記ＬＥＤ１の配置範囲内に収められていて、多数のＬＥＤ１の配置領域の全体を覆うように構成されている。また、前記レンズ部材２は、内部の配置部材が視認不能なように不透明体で構成され、しかも照射された光を拡散させる性質を有するものである。
【００１５】
また、前記可動反射板Ｒ1 は、その横断面の全体が緩やかな円弧状をした帯板で構成されて、その内側の反射面の横断面は、略ノコギリ歯状を成していて、回動中心Ｍから離れた側から該回動中心Ｍに向けて、第１〜第４の各反射面Ｆ1 〜Ｆ4 が順次形成されている。第１〜第４の各反射面Ｆ1 〜Ｆ4 は、互いに鈍角状となって交差している。この可動反射板Ｒ1 は、その基端部が回動軸３に一体に固着されていて、その両端の支持部３ａが軸受４に支持されている。回動軸３の一方の支持部３ａに取付けた歯車５と、モータ６の回転軸７に取付けた歯車８とが噛合されて、前記モータ６の正逆回転により、前記可動反射板Ｒ1 は、前面側に傾斜した姿勢を保持した状態で、回動軸３の軸心を回動中心Ｍとして、設定角度内において往復回動運動を行う。また、多数の前記ＬＥＤ１は、前記可動反射板Ｒ1 の各反射面Ｆ1 〜Ｆ4 の長手方向の範囲内において、所定間隔をおいて横一列に配置されている。
【００１６】
そして、モータ６の正逆回転により、可動反射板Ｒ1 が前面側に傾斜した姿勢を保持して、設定角度内で往復回動運動を行うと、図４ないし図６に示されるように、各ＬＥＤ１に対する各反射面Ｆ1 〜Ｆ4 の角度が大きく変化するために、各反射面Ｆ1 〜Ｆ4 で反射されて、その前方のレンズ部材２に帯状となって照射される光の位置が上下方向に順次変化し、可動反射板Ｒ1 の位置によって、レンズ部材２に照射される帯状光の幅が変化したり、可動反射板Ｒ1 が特定の位置に達すると、レンズ部材２に照射される光の帯が二重となって現れることもある。
【００１７】
即ち、図４に示される可動反射板Ｒ1 の最大起立位置においては、ＬＥＤ１から発せられる光は、第１反射面Ｆ1 に反射されると共に、第３及び第２の各反射面Ｆ3,Ｆ2 で順次反射されるために、レンズ部材２には、広幅の第１帯状光Ｌ1 が照射される。そして、可動反射板Ｒ1 が回動して、その前傾角度が大きくなると、図５に示されるように、第３反射面Ｆ3 により反射された光のみによって、前記第１反射面Ｆ1 よりも狭幅の第２帯状光Ｌ2 が、レンズ部材２に照射され、可動反射板Ｒ1 の前傾角度が更に大きくなって、その最大倒伏角度になると、図６に示されるように、前記第２帯状光Ｌ2 とほぼ同幅の第３反射面Ｆ3 により反射された光のみによる第３帯状光Ｌ3 が、そのまま下方に移動する。
【００１８】
このように、各ＬＥＤ１を点灯したままで、可動反射板Ｒ1 を往復回動させることにより、各ＬＥＤ１からの光は、可動反射板Ｒ1 で反射された後に、レンズ部材２に照射されて帯状光Ｌ1 〜Ｌ3 となって、この帯状光Ｌ1 〜Ｌ3 が上下方向に順次移動し、しかも、その帯状光の幅が変化すると共に、可動反射板Ｒ1 の位置によって二種類の帯状光が出現する等して、電飾効果が著しく高められる。
【００１９】
なお、発光体としてＬＥＤ１は、光としての指光性が高いために、可動反射板Ｒ1 の反射面Ｆ1 〜Ｆ4 の特定部分が集中的に照射される。このため、レンズ部材２に照射される帯状光の周囲の境界も明瞭となって、視認され易いという利点がある。
【００２０】
また、パチンコ機Ｐの遊技内容との関連においては、例えば、前記図柄表示装置３６の複数の図柄が特定の組合わせとなって「大当り」となった場合に、前記電飾装置Ｄ1 を作動させると、その帯状光が上下に頻繁に移動して、遊技者本人、及びホール内にいる他の遊技予定者に対して、その旨が視認されて、遊技が大きく盛り上げられる効果がある。しかし、遊技内容とは、無関係に常に電飾しておくことも可能である。
【００２１】
また、前記実施例の電飾装置Ｄ1 は、配置状態で前面側となる面に横断面が略ノコギリ歯状の反射面を有する可動反射板を往復回動運動させて、その前面のレンズ部材２に照射される帯状光を揺動させるものであるが、図７に示されるように、歯の形状が山形であって、その数の少ない横断面形状が歯車状をしていて、全体形状が円筒状をした回転反射体Ｒ2 を構成して、該回転反射体Ｒ2 を同一方向に連続回転させると、発光体に対する各歯面１１の角度が大きく変化するために、その前方のレンズ部材に照射される帯状光は、大きく移動することとなって、上記とほぼ同様の電飾効果が得られる。
【００２２】
また、図８に示される回転反射体Ｒ3 は、歯車状の回転反射体Ｒ3 を構成する山形状の歯の形状が複数個ずつ一組となって、順次変化しているために、発光体に対する各歯面１１の角度の変化が更に大きくなって、電飾効果が更に高められる。
【００２３】
更に、図９に示される回転反射体Ｒ4 は、その全長に亘って、前記回転反射体Ｒ2 と略同一断面形状（山形の歯を備えた歯車状）を有しているが、長手方向に沿って複数に分割された各部分は、それぞれ周方向に沿った位相がずれていて、前記各部分の接続部において、山形の歯が非連続となった構成である。これにより、レンズ部材に反射される反射光は、その長手方向に沿って、幅や数の異なる複数の部分が非連続となって現れて、電飾効果が高められる。
【００２４】
上記した各回転反射体Ｒ2 〜Ｒ4 において、同一方向に連続回転させるのに加えて、前後動をもさせると、発光体に対する各歯面の角度の変化が更に大きくなるために、帯状光の移動の状態が更に大きくなって、電飾効果が更に高まる。
【００２５】
また、遊技機における本発明に係る電飾装置の装着部位としては、上記したようにパチンコ機Ｐの前面枠３１の上端部に水平に配置する場合に限られず、その左右方向の両端部に垂直に配置することも可能であり、この場合には、帯状光が左右に移動することとなる。また、装着対象に関しては、上記したパチンコ機に限られず、図１０に示されるように、スロットマシンＳの図柄表示部５１の上方に電飾装置Ｄ2 を水平に配置することも可能であり、また、操作ボタン５２の下方の平面部５３に電飾装置を配置することも可能である。
【００２６】
更に、本発明に係る電飾装置は、ホールにおいて遊技機が組み込まれる島台の上端部の膜板部にも装着可能である。そして、本発明における「遊技機」とは、パチンコ機、スロットマシン等の本来の遊技機自体のみらならず、これらが組み込まれるホールの前記島台等を含む広い概念である。
【００２７】
【発明の効果】
本発明に係る電飾装置は、可動反射板の反射面の横断面が略ノコギリ歯状に形成されていて、複数の反射面が鈍角状に交差しているために、可動反射板が回動することにより、ＬＥＤに対する各反射面の上下方向に位置が大きく変化する。この結果、連続する二つの反射面の接続部において、反射角度が急激に変化するため、可動反射板の前面のレンズ部材に照射される反射光の方向がさまざまに異なり、可動反射板の回動によって、異なる反射面で反射された帯状光がレンズ部材に照射される。この結果、レンズ部材の帯状照射面域では、ＬＥＤからの反射光が上下方向に変位され、かつ上下幅を大小変化して照射されるために、帯状光の幅や数が大きく変化して、電飾効果が一層高められる。
【図面の簡単な説明】
【図１】  本発明に係る電飾装置Ｄ1 を装着したパチンコ機Ｐの正面図である。
【図２】  電飾装置Ｄ1 の側面図である。
【図３】  ケースＣを省略した電飾装置Ｄ1 の正面図である。
【図４】  （イ),（ロ）は、可動反射板Ｒ1 の最大起立位置の側面図、及びレンズ部材２に照射された帯状光Ｌ1 の正面図である。
【図５】  （イ),（ロ）は、可動反射板Ｒ1 の最大起立位置と最大倒伏位置との中間位置の側面図、及びレンズ部材２に照射された帯状光Ｌ2 の正面図である。
【図６】  （イ),（ロ）は、可動反射板Ｒ1 の最大倒伏位置の側面図、及びレンズ部材２に照射された帯状光Ｌ3 の正面図である。
【図７】  横断面が歯車状をした回転反射体Ｒ2 の側面図である。
【図８】  同じく回転反射体Ｒ3 の側面図である。
【図９】  同じく回転反射体Ｒ4 の側面図である。
【図１０】  本発明に係る電飾装置Ｄ2 を装着したスロットマシンＳの斜視図である。
【符号の説明】
Ｄ1,Ｄ2 ：電飾装置
Ｆ1 〜Ｆ4 ：反射面
Ｌ1 〜Ｌ3 ：帯状光
Ｐ：パチンコ機（遊技機）
Ｒ1 ：可動反射板
Ｒ2 〜Ｒ4 ：回転反射体（可動反射体）
Ｓ：スロットマシン（遊技機）
１：ＬＥＤ（発光体）
２：レンズ部材
６：モータ（反射体駆動手段）
【図１】
0004250755.tif 000002
【図２】
0004250755.tif 000003
【図３】
0004250755.tif 000004
【図４】
0004250755.tif 000005
【図５】
0004250755.tif 000006
【図６】
0004250755.tif 000007
【図７】
0004250755.tif 000008
【図８】
0004250755.tif 000009
【図９】
0004250755.tif 000010
【図１０】
0004250755.tif 000011